(57)【要約】      （修正有）【課題】検査工程での部品交換頻度を低減し、高い自由度で発光特性の調節を容易に行うことが可能な発光装置、当該発光装置の検査装置、及び発光装置の動作を制御するプログラムを提供する。【解決手段】発光素子１２と、発光素子に対して電源からの電源電圧を複数の供給態様で供給可能であり、複数の供給態様のうちの特定の供給態様を指定する情報である指定情報を取得すると、指定情報によって指定された特定の供給態様のみで発光素子に電源電圧を供給する供給態様調整部１３と、を有する。【選択図】図２
2020140995.tif 000002
【特許請求の範囲】
【請求項１】
発光素子と、
前記発光素子に対して電源からの電源電圧を複数の供給態様で供給可能であり、前記複数の供給態様のうちの特定の供給態様を指定する情報である指定情報を取得すると、前記指定情報によって指定された特定の供給態様のみで前記発光素子に電源電圧を供給する供給態様調整部と、を有することを特徴とする発光装置。
【請求項２】
前記供給態様調整部は、取得した前記指定情報が複数の特定の供給態様を指定する場合、には、当該複数の特定の供給態様のうち、前記発光素子に流れる電流が最も小さくなる供給態様で前記発光素子に電源電圧を供給することを特徴とする請求項１に記載の発光装置。
【請求項３】
前記供給態様調整部は、前記発光素子と電源端子との間に電気的に接続された複数の抵抗素子を含む駆動回路を有し、
前記供給態様調整部は、前記複数の抵抗素子のうちの１又は複数の抵抗素子を介して前記発光素子に前記電源電圧を供給することによって、前記複数の供給態様の間で前記発光素子への電源電圧の供給態様を変化させることを特徴とする請求項１又は２に記載の発光装置。
【請求項４】
前記駆動回路は、前記複数の抵抗素子の各々と前記電源端子との間に電気的に接続され、前記複数の抵抗素子の各々と前記電源端子との間の接続状態を切替える切替素子を有することを特徴とする請求項３に記載の発光装置。
【請求項５】
前記供給態様調整部は、外部から前記指定情報を取得し、前記指定情報に基づいて前記切替素子による前記複数の抵抗素子の各々と前記電源端子との間の接続状態の切替動作を制御する制御部を有することを特徴とする請求項４に記載の発光装置。
【請求項６】
発光素子及び前記発光素子に対して電源からの電源電圧を複数の供給態様で供給する供給態様調整部を有する発光装置の検査装置であって、
前記供給態様供給部に対し、前記発光素子への電源電圧の供給態様を前記複数の供給態様の間で変化させつつ前記発光素子に電源電圧を供給させる指令を行う指令部と、
前記複数の電源電圧の供給態様の各々に対し、前記発光素子から放出された光の特性を評価基準に基づいて評価する評価部と、
前記複数の電源電圧の供給態様のうち、前記発光素子が前記評価部によって前記評価基準の範囲内の特性の光を放出した際の供給態様を指定する情報である指定情報を生成する情報生成部と、
前記複数の電源電圧の供給態様と前記評価部による評価結果とを蓄積する蓄積部と、を有することを特徴とする検査装置。
【請求項７】
コンピュータを、
発光素子を有する発光装置において、前記発光素子に対して電源からの電源電圧を複数の供給態様で供給可能であり、前記複数の供給態様のうちの特定の供給態様を指定する情報である指定情報を取得すると、前記指定情報によって指定された特定の供給態様のみで前記発光素子に電源電圧を供給する供給態様調整部と、として機能させることを特徴とするプログラム。
【発明の詳細な説明】
【技術分野】
【０００１】
本発明は、発光素子を含む発光装置、発光装置の検査を行う検査装置、及び発光装置を動作させるプログラムに関する。
【背景技術】
【０００２】
従来から、発光素子及び発光素子を駆動する駆動回路を含む発光装置が知られている。発光装置は、例えば、特許文献１に開示されているような検査装置によってその種々の特性が検査された後に、出荷される。
【先行技術文献】
【特許文献】
【０００３】
【特許文献１】特開2010-266424号公報
【発明の概要】
【発明が解決しようとする課題】
【０００４】
発光装置の検査工程においては、その発光装置の用途に応じた評価基準が設けられ、当該評価基準を満たさなかった特性の発光装置は不適合品（検査落ち）となる。この場合、当該不適合品となった発光装置においては、例えば、発光素子を交換して再度検査を行うこととなる。従って、本来は必要ではなかった部品代や部品交換費用、また再検査費用などが発生することとなる。また、例えば、確実に評価基準を満たすことを考慮して過剰な品質を発光装置に持たせる場合、発光装置は不必要に複雑かつ高価なものとなる。
【０００５】
本発明は上記した点に鑑みてなされたものであり、検査工程での部品交換頻度を低減し、高い自由度で発光特性の調節を容易に行うことが可能な発光装置、当該発光装置の検査装置、及び発光装置の動作を制御するプログラムを提供することを目的としている。
【課題を解決するための手段】
【０００６】
本発明による発光装置は、発光素子と、発光素子に対して電源からの電源電圧を複数の供給態様で供給可能であり、複数の供給態様のうちの特定の供給態様を指定する情報である指定情報を取得すると、指定情報によって指定された特定の供給態様のみで発光素子に電源電圧を供給する供給態様調整部と、を有することを特徴としている。
【０００７】
また、本発明による発光装置の検査装置は、発光素子及び発光素子に対して電源からの電源電圧を複数の供給態様で供給する供給態様調整部を有する発光装置の検査装置であって、供給態様供給部に対し、発光素子への電源電圧の供給態様を複数の供給態様の間で変化させつつ発光素子に電源電圧を供給させる指令を行う指令部と、複数の電源電圧の供給態様の各々に対し、発光素子から放出された光の特性を評価基準に基づいて評価する評価部と、複数の電源電圧の供給態様のうち、発光素子が評価部によって評価基準の範囲内の特性の光を放出した際の供給態様を指定する情報である指定情報を生成する情報生成部と、複数の電源電圧の供給態様と評価部による評価結果とを蓄積する蓄積部と、を有することを特徴としている。
【０００８】
また、本発明によるプログラムは、コンピュータを、発光素子を有する発光装置において、発光素子に対して電源からの電源電圧を複数の供給態様で供給可能であり、複数の供給態様のうちの特定の供給態様を指定する情報である指定情報を取得すると、指定情報によって指定された特定の供給態様のみで発光素子に電源電圧を供給する供給態様調整部と、として機能させることを特徴としている。
【図面の簡単な説明】
【０００９】
【図１】実施例１に係る発光装置の斜視図である。
【図２】実施例１に係る発光装置の回路図である。
【図３】実施例１に係る発光装置の検査装置の構成を示す図である。
【図４】実施例１に係る発光装置の検査装置における検査回路のブロック図である。
【図５】実施例１に係る発光装置の制御部の動作フローを示す図である。
【図６】実施例１に係る発光装置に検査時の駆動回路の動作態様、当該検査結果及び検査後の駆動態様の一例を示す図である。
【発明を実施するための形態】
【００１０】
以下、本発明の実施例について詳細に説明する。
【実施例１】
【００１１】
図１は、実施例１に係る発光装置１０の模式的な斜視図である。発光装置１０は、筐体１１内に収容された発光素子１２と、発光素子１２に対して電源から供給された電圧（以下、電源電圧と称する）を可変な態様で供給して発光素子１２を駆動する供給態様調整部１３と、を含む。
【００１２】
本実施例においては、発光装置１０は、外部との種々の通信を行う通信装置（図示せず）を有し、全体としては通信機器として機能する。例えば、本実施例においては、供給態様調整部１３は、当該通信装置を駆動する駆動回路として機能する。
【００１３】
また、例えば、本実施例においては、供給態様調整部１３は、当該通信装置の動作状態に応じて発光素子１２を駆動する。例えば、供給態様調整部１３は、当該通信装置が外部との通信を行っている時には、発光素子１２を所定の点灯状態となるように駆動する。なお、所定の点灯状態とは、発光素子１２が連続して点灯する状態や、発光素子１２が間欠的に点灯する（点滅する）状態を含む。
【００１４】
また、供給態様調整部１３は、当該通信装置の通信時には、例えば、発光素子１２が所定の発光色及び輝度で点灯するように発光素子１２を駆動してもよい。また、例えば、供給態様調整部１３は、当該通信装置が外部との通信を行っていない時には、発光素子１２が消灯するように発光素子１２を駆動してもよい。すなわち、供給態様調整部１３は、当該通信装置の動作状態に応じて、発光素子１２の点灯、点滅、消灯を切り替えてもよい。
【００１５】
例えば、本実施例においては、発光装置１０は、４つの発光素子１２を有する。また、供給態様調整部１３は、当該４つの発光素子１２の各々を駆動する。また、筐体１１は、発光素子１２の各々を固定するように構成された開口部を有する。発光素子１２は、当該開口部から筐体１１の外部に向けて光を放出する。
【００１６】
なお、発光装置１０の構成は図１に示す場合に限定されない。例えば、発光素子１２は、通信機器の通信状態に応じて点消灯する場合に限定されず、種々の用途及び目的で発光装置１０に設けられることができる。また、発光装置１０は、少なくとも１つの発光素子１２を有していればよい。
【００１７】
図２は、発光装置１０の回路図である。図２は、発光装置１０における発光素子１２及び供給態様調整部１３の構成例を示す図である。図２に示すように、本実施例においては、発光素子１２は、発光ダイオードを含み、そのアノード端子が発光装置１０の正側電源端子（以下、単に正側端子と称する）１０Ａに接続されている。また、当該発光ダイオードのカソード端子は、供給態様調整部１３に接続されている。
【００１８】
また、供給態様調整部１３は、発光装置１０の負側電源端子（以下、単に負側端子と称する）１０Ｂに接続されている。例えば、正側端子１０Ａには、所定の正極性の電位が印加される。また、例えば、負側端子１０Ｂには、接地電位が印加される。また、供給態様調整部１３は、発光素子１２を駆動する駆動回路１４と、駆動回路１４による発光素子１２の駆動態様を制御する制御部１５と、を含む。
【００１９】
本実施例においては、駆動回路１４は、発光素子１２と負側端子１０Ｂとの間に電気的に接続された複数（本実施例においては３つ）の抵抗素子Ｒ１、Ｒ２、Ｒ３を含む。供給態様調整部１３は、当該複数の抵抗素子Ｒ１乃至Ｒ３のうちのどの１又は複数の抵抗素子を介して発光素子１２に電源電圧を供給するかを選択することによって、発光素子１２への電源電圧の供給態様を変化させる。
【００２０】
また、本実施例においては、駆動回路１４は、当該複数の抵抗素子Ｒ１乃至Ｒ３の各々と負側端子１０Ｂとの間に電気的に接続され、当該複数の抵抗素子Ｒ１乃至Ｒ３の各々と負側端子１０Ｂとの間の接続状態を切替える切替素子１４Ａを有する。また、供給態様調整部１３は、制御部１５によって切替素子１４Ａの動作制御を行うことで、発光素子１２への電源電圧の供給態様を変化させる。
【００２１】
本実施例においては、駆動回路１４は、発光装置１０の正側端子１０Ａ及び負側端子１０Ｂ間において、発光素子１２に直列に接続されている。また、駆動回路１４の抵抗素子Ｒ１乃至Ｒ３の各々は、互いに直列に接続され、それぞれ所定の抵抗値を有する。抵抗素子Ｒ１の一端は発光素子１２のカソード端子に接続され、抵抗素子Ｒ１の他端は抵抗素子Ｒ２の一端に接続されている。また、抵抗素子Ｒ２の他端は抵抗素子Ｒ３の一端に接続されている。
【００２２】
切替素子１４Ａは、抵抗Ｒ１、Ｒ２及びＲ３のそれぞれの他端に接続された３つの入力端子と、負側端子１０Ｂに接続された出力端子と、を有する。また、切替素子１４Ａは、制御端子を有し、当該制御端子に供給される制御信号に基づいて、当該３つの入力端子と当該出力端子との間の接続状態を切り替える。制御部１５は、切替素子１４Ａの当該制御端子に制御信号を供給することで、駆動回路１４による発光素子１２への印加電圧を制御する。
【００２３】
本実施例においては、正側端子１０Ａ、発光素子１２、駆動回路１４及び負側端子１０Ｂは、発光装置１０における発光回路を構成する。本実施例においては、当該発光回路は、直列に接続された正側端子１０Ａ、発光素子１２、駆動回路１４及び負側端子１０Ｂを有する。
【００２４】
図３は、発光装置１０の検査装置２０の構成例を模式的に示す図である。検査装置２０は、発光素子１２の各々から放出された光を受光する受光部２１Ａを有し、受光部２１Ａによって受光された光を検出する検出部２１を有する。検出部２１は、例えば、少なくとも１つの光検出器を有する。
【００２５】
検査装置２０は、発光装置１０及び検出部２１を動作させ、検出部２１による発光素子１２から放出された光の検出結果に基づいて発光装置１０の動作試験及び評価を行う検査回路２２を有する。例えば、検査回路２２は、発光装置１０の制御部１５と同様の機能及び制御パラメータを有する制御回路（図示せず）を有する。
【００２６】
図４は、検査回路２２の構成例を示すブロック図である。検査回路２２は、例えば、発光装置１０に対して検査用の発光動作を行うように発光装置１０に対して動作指令を行う検査用発光指令部（以下、単に指令部と称する）２２Ａを有する。例えば、指令部２２Ａは、供給態様供給部１３に対し、発光素子１２への電源電圧の供給態様を変化させつつ発光素子１２に電源電圧を供給させる指令を行う。
【００２７】
例えば、指令部２２Ａは、発光装置１０の制御部１５に対し、駆動回路１４が切替可能な全ての発光素子１２への電源電圧の供給態様（例えば切替素子１３Ａにおける切替可能な入力端子と出力端子との接続態様）を所定時間及び所定間隔で切り替えつつ発光素子１２を動作させることを指令する。
【００２８】
検査回路２２は、発光装置１０の発光素子１２から放出された光の特性を評価する光特性評価部（以下、単に評価部と称する）２２Ｂを有する。例えば、評価部２２Ｂは、発光装置１０の設計仕様に対応する評価基準、例えば発光色及び発光輝度の閾値を有する。そして、発光素子１２から放出された光が当該評価基準の範囲内の特性を示したか否かを評価する。
【００２９】
例えば、評価部２２Ｂは、駆動回路１４による発光素子１２の駆動態様の詳細、切替順序及び切替持続時間毎に、発光素子１２から放出された光の特性の評価を行う。例えば、評価部２２Ｂは、駆動回路１４による駆動態様の内容と、その各々に対する評価結果とを対応させた評価結果を、発光装置１０の発光特性の評価結果として出力する。
【００３０】
次に、検査回路２２は、発光装置１０に対し、評価部２２Ｂによる評価結果に応じ、評価基準を満たす駆動態様を指定する情報（以下、指定情報と称する）を生成する指定情報生成部（以下、単に情報生成部と称する）２２Ｃを有する。具体的には、情報生成部２２Ｃは、例えば、駆動回路１４によって切替可能は発光素子１２の駆動態様のうち、評価基準を満たす駆動態様のみを示す情報を生成する。情報生成部２２Ｃは、当該指定情報を発光装置１０の制御部１５に送信する。
【００３１】
また、検査回路２２は、評価部２２Ｂによる評価結果、例えば発光素子１２の個別識別情報、駆動回路１４による切替可能な駆動態様の各々と、その各駆動態様に対応する評価結果と、を関連付けて蓄積する評価結果蓄積部（以下、単に蓄積部と称する）２２Ｄを有する。例えば、蓄積部２２Ｄは、当該駆動回路１４による駆動態様、当該駆動態様での発光素子１２から放出された光の強度、評価部２２Ｂが有する評価基準及び評価結果を、発光素子１２毎に蓄積して記憶する。当該評価結果は、蓄積部２２Ｄ内において、例えばデータベースとして記憶される。
【００３２】
図５は、発光装置１０における制御部１５の動作フローの例を示す図である。まず、制御部１５は、検査装置２０から検査用の発光動作を行う指令を受信する（ステップＳ１１）。当該発光指令を受信した場合、制御部１５は、駆動回路１４を制御し、駆動回路１４が切替可能な発光素子１２と駆動回路１３との間の全ての接続態様を切替つつ発光素子１２を駆動させる（ステップＳ１２）。
【００３３】
続いて、制御部１５は、検査装置２０の検査回路２２から、評価基準を満たす特定の接続態様を指定する情報である指定情報を受信したか否かを判定する（ステップＳ１３）。また、制御部１５は、例えば、当該指定情報を受信した場合、当該指定情報に複数の接続態様を示す情報が含まれているか否かを判定する（ステップＳ１４）。
【００３４】
なお、本実施例においては、検査回路２２から指定情報を受信することは、検査装置２０による検査の結果、評価基準を満たす発光素子１２の駆動態様が少なくとも１つ存在したことに対応する。
【００３５】
制御部１５は、指定されている接続態様が複数あった場合、当該複数の接続態様のうち、発光素子１２に印加される電流が最も小さい接続態様に固定するように、駆動回路１４を制御する（ステップＳ１５）。また、制御部１５は、指定されている接続態様が１つのみであった場合、当該指定された接続態様に固定するように、駆動回路１４を制御する（ステップＳ１６）。制御部１５は、例えばこのように駆動回路１４及び発光素子１２の動作を制御する。
【００３６】
図６は、駆動回路１４による発光素子１２の検査用の駆動態様及びその各々の評価結果と、これを受けた後の駆動回路１４の発光素子１２の駆動態様と、の例を示す図である。図６を用いて、発光装置１０及び検査回路２２の動作の詳細例について説明する。
【００３７】
まず、駆動回路１４は、制御部１５（検査回路２２）によって、例えば、図６に示した順番で発光素子１２の３つの駆動態様を切替える。
【００３８】
例えば、まず最初は、駆動回路１４は、切替素子１４Ａを動作させ、抵抗素子Ｒ１の他端と負側端子１０Ｂとを接続する（以下、第１の接続状態と称する）。この場合、発光回路及び発光素子１２には、抵抗素子Ｒ１の抵抗値に対応する電流が流れる。そして、評価部２２Ｂは、当該状態で発光素子１２から放出された光の特性（例えば強度）を測定し、評価基準の範囲内の特性であるか否かを判定する。
【００３９】
続いて、所定時間経過後、駆動回路１４は、切替素子１４Ａを動作させ、抵抗素子Ｒ２の他端と負側端子１０Ｂとを接続する（以下、第２の接続状態と称する）。また、評価部２２Ｂは、当該第２の接続状態における評価を行う。第２の接続状態においては、発光回路及び発光素子１２には、抵抗素子Ｒ１及びＲ２の合成抵抗値（本実施例においては抵抗素子Ｒ１及びＲ２の抵抗値の和）に対応する電流が流れる。
【００４０】
同様に、駆動回路１４は、切替素子１４Ａを動作させ、抵抗素子Ｒ３の他端と負側端子１０Ｂとを接続する（以下、第３の接続状態と称する）。そして、評価部２２Ｂは、第３の接続状態に対する評価を行う。第３の接続状態においては、発光回路及び発光素子１２には、抵抗素子Ｒ１乃至Ｒ３の合成抵抗値（本実施例においては抵抗素子Ｒ１乃至Ｒ３の抵抗値の和）に対応する電流が流れる。
【００４１】
そして、図６に示すように、例えば、評価部２２Ｂが、第１の接続状態では評価基準の範囲外（不合格）であると評価し、第２及び第３の接続状態では評価基準の範囲内（合格）であると評価した場合を考える。この場合、情報生成部２２Ｃは、第２及び第３の接続状態を指定する情報を指定情報として生成する。そして、情報生成部２２Ｃは、発光装置１０の制御部１５に対し、当該指定情報を供給する。
【００４２】
また、制御部１５は、当該指定情報を取得した場合、当該指定された第２及び第３の接続状態のうち、最も発光素子１２に流れる電流（電流値）が小さい接続状態、本実施例においては最も合成抵抗値が大きい第３の接続状態に駆動回路１４の動作が固定される。これ以降、発光素子１２は、発光回路内において抵抗素子Ｒ１乃至Ｒ３の全てが接続された状態で、発光動作を行う。
【００４３】
このように、本実施例においては、発光装置１０は、発光素子１２に供給される電流値を抵抗値の差によって切り替える駆動回路１４を有する。これによって、例えば発光素子１２への電流の供給態様のうちの１つで評価基準を満たさなかった場合でも、他の供給態様では評価基準を満たす場合がある。従って、例えば、発光素子１２の製造誤差によって、設計上の電流を印加した場合でも発光素子１２から出射される光が明るすぎる場合又は暗すぎる場合に、部品交換が必要になることが回避される可能性が大幅に高まる。
【００４４】
また、発光装置１０内には、発光素子１２の他に、例えば市販されている定格の抵抗値の抵抗素子を複数個配置し、これらの発光回路内での接続状態を切替える素子を配置するだけでよい。従って、単純な構成で検査不合格の際の部品交換の頻度を大幅に低下させることができる。
【００４５】
また、発光素子１２が複数の互いに異なる発光色の発光ダイオードからなる発光セグメントを含む場合、発光素子１２から放出される光の特性としては、各発光セグメントからの光の混色バランスなどが含まれる。従って、この場合、供給態様調整部１３は、各発光セグメントにおける電源電圧の供給態様を調整可能な構成を有していればよい。輝度のみならず、発光色によっても調整可能な構成を有することで、検査不合格品が生ずる可能性が大きく低下する。
【００４６】
そして、制御部１５は、外部、本実施例においては検査装置２０から、当該駆動回路１４による発光素子１２への電流の供給態様を指定する情報を取得した場合、当該電流の供給態様を当該指定された供給態様に固定する。従って、最低限の検査回数で安定して設計上の特性の光を出射するような発光装置１０を提供することができる。
【００４７】
また、検査装置２０は、当該発光装置１０における発光素子１２への電源電圧の供給態様と当該供給態様毎の評価結果を蓄積する蓄積部２２Ｄを有する。従って、例えば発光素子１２毎に好ましい抵抗値の傾向を把握することができ、例えば配置する抵抗素子の設計を再検討する際の材料となり得る。
【００４８】
なお、発光装置１０内に最初に設ける抵抗素子の構成としては、設計上の発光特性の中央値に対応する抵抗値を示す抵抗素子を基準として、そのわずかに大きな又は小さな抵抗値を示すような抵抗素子を配置すればよい。
【００４９】
また、本実施例においては、発光装置１０が、駆動回路１４として、発光素子１２に接続された複数の抵抗素子Ｒ１乃至Ｒ３と、当該抵抗素子Ｒ１乃至Ｒ３の電源端子（正側端子１０Ａ及び１０Ｂ）との接続状態を切替える切替素子１３Ａを有する場合について説明した。しかし、発光装置１０の構成はこれに限定されない。例えば、発光素子１２の発光特性、例えば発光強度を調節するパラメータとしては、抵抗値だけでなく、電圧値が挙げられる。
【００５０】
すなわち、例えば、正側端子１０Ａ又は負側端子１０Ｂに印加する電位を調節することによっても、発光素子１２の発光特性は変化する。従って、例えば、供給態様調整部１３は、駆動回路１３を有していなくてもよい。また、この場合、制御部１５は、切替素子１４Ａの制御を行うのではなく、例えば、正側端子１０Ａ及び負側端子１０Ｂに接続され、当該正側端子１０Ａ及び負側端子１０Ｂに印加される電位を制御するように構成されていればよい。
【００５１】
従って、発光装置１０は、例えば、発光素子１２に対して電源（すなわち発光装置１０に対する電源）からの電源電圧を複数の供給態様で供給可能な供給態様調整部１３を有していればよい。そして、例えば、供給態様調整部１３は、当該複数の供給態様のうちの特定の供給態様を指定する情報である指定情報を取得した後は、当該指定情報によって指定された特定の供給態様のみで発光素子１２に電源電圧を供給するように構成されていればよい。この場合、正側端子１０Ａ及び負側端子１０Ｂ間には、少なくとも１つの抵抗素子が設けられていればよい。
【００５２】
なお、供給態様調整部１３が駆動回路１４を有する場合、駆動回路１４は切替素子１４Ａを有する場合に限定されない。例えば、供給態様調整部１３は、複数の抵抗素子Ｒ１乃至Ｒ３のうちの１又は複数の抵抗素子を介して発光素子１２に電源電圧を供給することによって、可変な複数の供給態様の間で発光素子１２への電源電圧の供給態様を変化させるように構成されていればよい。
【００５３】
また、供給態様調整部１３が切替素子１４Ａを有する場合でも、供給態様調整部１３が切替素子１４Ａの制御を行う制御部１５を有する場合に限定されない。例えば、供給態様調整部１３は、外部から指定情報を取得して当該指定情報に基づいて切替素子１４Ａの動作制御を行えばよい。また、切替素子１４Ａが外部から直接制御可能な構成を有していてもよい。
【００５４】
なお、供給態様調整部１３に検査装置２０の機能の一部を持たせる場合、また検査用の発光パターンを記憶させておく場合、制御部１５を設けることが好ましい。これによって、検査装置２０は制御部１５に対して種々の指令を行えばよくなる。この場合、供給態様調整部１３は、外部から当該指定情報を取得し、当該指定情報に基づいて切替素子１４Ａによる複数の抵抗素子Ｒ１乃至Ｒ３の各々と電源端子（負側端子１０Ｂ）との間の接続状態の切替動作を制御する制御部１５を有することが好ましい。
【００５５】
このように、本実施例においては、発光装置１０は、発光素子１２と、発光素子１２に対して電源からの電源電圧を複数の供給態様で供給可能な供給態様調整部１３を有する。また、供給態様調整部１３は、当該複数の供給態様のうちの特定の供給態様を指定する情報である指定情報を取得すると、当該指定情報によって指定された特定の供給態様のみで発光素子１２に電源電圧を供給する。従って、検査工程での部品交換頻度を低減し、高い自由度で発光特性の調節を容易に行うことが可能な発光装置１０を提供することができる。
【００５６】
また、本実施例においては、検査装置２０が発光装置１０の制御部１５に対して発光指令を行い、また指定情報を供給する場合について説明した。しかし、検査装置２０は、供給態様調整部１３、例えば駆動回路１４に対してこれらの動作を行ってもよい。
【００５７】
例えば、本実施例においては、検査装置２０は、発光素子１２及び発光素子１２に対して電源からの電源電圧を複数の供給態様で供給する供給態様調整部１３を有する発光装置１０の検査装置である。また、検査装置２０は、供給態様供給部１３に対し、発光素子１２への電源電圧の供給態様を当該複数の供給態様の間で変化させつつ発光素子１２に電源電圧を供給させる指令を行う指令部２２Ａと、当該複数の電源電圧の供給態様の各々に対し、発光素子１２から放出された光の特性を評価基準に基づいて評価する評価部２２Ｂと、当該複数の電源電圧の供給態様のうち、発光素子１２が評価部２２Ｂによって評価基準の範囲内の特性の光を放出した際の供給態様を指定する情報である指定情報を生成する情報生成部２２Ｃと、当該複数の電源電圧の供給態様と評価部２２Ｂによる評価結果とを蓄積する蓄積部２２Ｄと、を有する。従って、検査工程での部品交換頻度を低減し、高い自由度で発光特性の調節を容易に行うことが可能な発光装置１０の検査装置２０を提供することができる。
【００５８】
また、本発明は、例えば発光装置１０を制御するプログラムとしても実施されることができる。例えば、本発明によるプログラムは、供給態様調整部１３の機能を実行するプログラムであればよい。
【００５９】
例えば、本発明によるプログラムは、コンピュータを、発光素子１２を有する発光装置１０において、発光素子１２に対して電源からの電源電圧を複数の供給態様で供給可能であり、当該複数の供給態様のうちの特定の供給態様を指定する情報である指定情報を取得すると、当該指定情報によって指定された特定の供給態様のみで発光素子１２に電源電圧を供給する供給態様調整部１３と、として機能させるように構成されている。従って、例えば当該プログラムによって、検査工程での部品交換頻度を低減し、高い自由度で発光特性の調節を容易に行うことが可能な発光装置１０を提供することができる。
【符号の説明】
【００６０】
１０  発光装置
１３  供給態様調整部
１４  駆動回路
２０  検査装置
【図１】
2020140995.tif 000003
【図２】
2020140995.tif 000004
【図３】
2020140995.tif 000005
【図４】
2020140995.tif 000006
【図５】
2020140995.tif 000007
【図６】
2020140995.tif 000008